(57)【要約】【課題】操作ハンドルの初期位置を微調整することができ、意匠性を向上させることができる水栓装置を提供する。【解決手段】本発明の水栓装置１は、給湯源１４又は給水源１８から吐水部まで延びる流路を形成する流路形成部８，１０と、この流路形成部を開閉することにより吐水部２からの吐止水又は吐水部からの吐水量を制御する開閉弁２２と、回転操作することにより開閉弁の開閉操作を可能にする操作部３６と、操作部の操作力を開閉弁に伝達する伝達部２６と、を有し、開閉弁は、スピンドル部４２を備えており、伝達部は、その一端側に設けられてスピンドル部に接続されるスピンドル側接続部４４と、他端側に設けられて操作部に接続される操作側接続部４６と、を備え、スピンドル側接続部には、第１所定ピッチαの第１スプライン４４ａが形成され、操作側接続部には、第１所定ピッチとは異なる第２所定ピッチβの第２スプライン４６ａが形成されている。【選択図】図５
2018138749.tif 000002
【特許請求の範囲】
【請求項１】
湯又は水を吐止水する水栓装置であって、
湯又は水を吐水可能な吐水部と、
給湯源又は給水源から上記吐水部まで延びる流路を形成する流路形成部と、
この流路形成部の流路内に設けられて、開閉することにより上記吐水部からの吐止水又は上記吐水部からの吐水量を制御する開閉弁と、
回転操作することにより上記開閉弁の開閉操作を可能にする操作部と、
上記操作部の操作力を上記開閉弁に伝達する伝達部と、を有し、
上記開閉弁は、スピンドル部を備えており、上記伝達部は、その一端側に設けられて上記スピンドル部に接続されるスピンドル側接続部と、他端側に設けられて上記操作部に接続される操作側接続部と、を備え、
上記スピンドル側接続部には、第１所定ピッチの第１スプラインが形成され、
上記操作側接続部には、上記第１所定ピッチとは異なる第２所定ピッチの第２スプラインが形成されていることを特徴とする水栓装置。
【請求項２】
上記伝達部は、上記スピンドル側接続部と上記操作側接続部とを判別可能な判別手段を備えている請求項１記載の水栓装置。
【請求項３】
上記判別手段は、上記伝達部の外面に表示された表示部である請求項２記載の水栓装置。
【請求項４】
上記判別手段は、上記第１スプライン又は上記第２スプラインの一方が雄側スプラインとなり、上記第１スプライン又は上記第２スプラインの他方が雌側スプラインであることにより判別するものである請求項２又は３に記載の水栓装置。
【請求項５】
上記判別手段は、上記第１スプライン及び上記第２スプラインの双方が雄側スプラインであり、上記第１スプライン及び上記第２スプラインのそれぞれの外径寸法は、互いに異なるように設定されている請求項２又は３に記載の水栓装置。
【請求項６】
上記操作部は、上記伝達部の上記操作側接続部に接続されるハンドルを備え、このハンドルは、方向性を有する形状で形成されている請求項１乃至５の何れか１項に記載の水栓装置。
【発明の詳細な説明】
【技術分野】
【０００１】
本発明は、水栓装置に係り、特に、湯又は水を吐水する水栓装置に関する。
【背景技術】
【０００２】
従来から、湯又は水を吐止水する水栓装置として、例えば、特許文献１に記載されているように、所定の設置面上に設けられて、湯、水、又は混合湯水を吐水するスパウトと、通湯路及び通水路のそれぞれを開閉する開閉弁と、各開閉弁を操作する操作ハンドルとを備えたものが知られている。
また、上述した従来の水栓装置では、操作ハンドルの回転操作力を開閉弁に伝達する伝達軸を備えている。
さらに、操作ハンドルの係合部が係合される伝達軸の一端には、スプラインが設けられている。これにより、操作ハンドルの回転力が、スプラインを介して伝達軸に伝達され、開閉弁に伝達されるようになっている。
【先行技術文献】
【特許文献】
【０００３】
【特許文献１】特開２００８−８８６７９号公報
【発明の概要】
【発明が解決しようとする課題】
【０００４】
また、近年の水栓装置におけるデザインの多様化やニーズのグローバル化に伴って、水栓装置の操作ハンドルの外観形状等についても、意匠性を重視した様々な形状からなるものがある。
このような意匠性を重視した様々な形状の操作ハンドルにおいては、例えば、立方体形状や直方体形状等、側面の外観が鉛直な平面形状であったり、直線状部分を含むような外観であったりする。
したがって、これらの外観の意匠性を向上させる観点では、例えば、操作ハンドルの側面とその周辺部の台座等の側面とを互いに整列させて、全体的にすっきりと一体性のある外観を演出させるのが好ましい。
よって、これらの操作ハンドルとその周辺部の台座等との位置関係をいかに設定して、意匠性を向上させるかが、近年要請された課題となっている。
また、意匠性の観点では、例えば、操作ハンドルの側面とその周辺のカウンタ面の方形のタイルのアウトラインとの互いの関係についても、使用者側から見て互いに平行に見えるように設定したり、或いは、所定の面内で面一に見えるように設定したりすること等が好ましい。
したがって、操作ハンドルの側面とカウンタ面の方形のタイルとの互いの形状や初期位置のずれについても、いかに小さく設定して意匠性を向上させるかが、近年要請された課題となっている。
【０００５】
そこで、本発明は、上述した課題を解決するためになされたものであり、操作ハンドルの初期位置を微調整することができ、意匠性を向上させることができる水栓装置を提供することを目的としている。
【課題を解決するための手段】
【０００６】
上述した課題を解決するために、本発明は、湯又は水を吐止水する水栓装置であって、湯又は水を吐水可能な吐水部と、給湯源又は給水源から上記吐水部まで延びる流路を形成する流路形成部と、この流路形成部の流路内に設けられて、開閉することにより上記吐水部からの吐止水又は上記吐水部からの吐水量を制御する開閉弁と、回転操作することにより上記開閉弁の開閉操作を可能にする操作部と、上記操作部の操作力を上記開閉弁に伝達する伝達部と、を有し、上記開閉弁は、スピンドル部を備えており、上記伝達部は、その一端側に設けられて上記スピンドル部に接続されるスピンドル側接続部と、他端側に設けられて上記操作部に接続される操作側接続部と、を備え、上記スピンドル側接続部には、第１所定ピッチの第１スプラインが形成され、上記操作側接続部には、上記第１所定ピッチとは異なる第２所定ピッチの第２スプラインが形成されていることを特徴としている。
このように構成された本発明においては、開閉弁と操作部とを接続する伝達部の一端側のスピンドル側接続部及び他端側の操作側接続部について、互いにピッチの異なるスプライン（第１所定ピッチの第１スプライン及び第２所定ピッチの第２スプライン）を備えているため、水栓装置の外観に影響を与えることなく、操作部の初期位置を微調整することができる。
具体的には、スピンドル側接続部の第１スプラインの第１所定ピッチの角度と、操作側接続部の第２スプラインの第２所定ピッチの角度との差分によって、初期位置の操作部の回転面内の角度を微調整することができる。
また、第１スプラインの第１所定ピッチの角度と第２スプラインの第２所定ピッチの角度との差分を小さく設定する程、初期位置の操作部の回転面内の角度をより細やかに調整することができる。
これらにより、操作部とその周辺部との互いの意匠性についても向上させることができる。
【０００７】
本発明において、好ましくは、上記伝達部は、上記スピンドル側接続部と上記操作側接続部とを判別可能な判別手段を備えている。
このように構成された本発明においては、例えば、伝達部の操作側接続部を誤って開閉弁のスピンドル部に接続しようとした場合、伝達部の判別手段により接続の誤りに気付くことができる。
したがって、伝達部の両端の接続部が開閉弁のスピンドル部及び操作部のそれぞれに誤って接続されることを未然に防ぐことができる。これにより、伝達部のスピンドル側接続部及び操作側接続部のそれぞれについて、対応する開閉弁のスピンドル部及び操作部のそれぞれに正しく接続することができる。
これに対し、仮に、判別手段がない場合には、第１スプラインの第１所定ピッチの角度と第２スプラインの第２所定ピッチの角度との差分を小さく設定する程、伝達部の両端の接続部が誤って接続されてしまう可能性も高まることになる。これにより、伝達部、開閉弁のスピンドル、及び操作部の各接続部の破損や不具合等の要因となるが、これらの要因を本発明の判別手段で解消することができ、各スプラインのピッチの角度が小さくても、正しい施工を行うことができる。
【０００８】
本発明において、好ましくは、上記判別手段は、上記伝達部の外面に表示された表示部である。
このように構成された本発明においては、伝達部の各接続部の判別手段として、伝達部の外面に表示された表示部を採用することにより、伝達部の各接続部を開閉弁のスピンドル部及び操作部のそれぞれに接続する際に、表示部を視認しながら行うことができる。
したがって、伝達部のスピンドル側接続部及び操作側接続部のそれぞれについて、正確に判別することができ、対応する開閉弁のスピンドル部及び操作部のそれぞれに正しく接続することができる。
【０００９】
本発明において、好ましくは、上記判別手段は、上記第１スプライン又は上記第２スプラインの一方が雄側スプラインとなり、上記第１スプライン又は上記第２スプラインの他方が雌側スプラインであることにより判別するものである。
このように構成された本発明においては、伝達部の各接続部の判別手段として、伝達部のスピンドル側接続部の第１スプライン又は操作側接続部の第２スプラインの一方が雄側スプラインとして設定され、伝達部のスピンドル側接続部の第１スプライン又は操作側接続部の第２スプラインの他方が雌側スプラインとして設定されているため、伝達部の両端の接続部を見た目で正確に判別することができる。
したがって、伝達部のスピンドル側接続部及び操作側接続部のそれぞれについて、対応する開閉弁のスピンドル部及び操作部のそれぞれに正しく接続することができる。
【００１０】
本発明において、好ましくは、上記判別手段は、上記第１スプライン及び上記第２スプラインの双方が雄側スプラインであり、上記第１スプライン及び上記第２スプラインのそれぞれの外径寸法は、互いに異なるように設定されている。
このように構成された本発明においては、第１スプライン及び第２スプラインの双方が雄側スプラインであるが、伝達部の各接続部の判別手段として、第１スプライン及び第２スプラインのそれぞれの外径寸法を互いに異なるように設定しているため、伝達部の両端の接続部を見た目で正確に判別することができる。
したがって、伝達部のスピンドル側接続部及び操作側接続部のそれぞれについて、対応する開閉弁のスピンドル部及び操作部のそれぞれに正しく接続することができる。
【００１１】
本発明において、好ましくは、上記操作部は、上記伝達部の上記操作側接続部に接続されるハンドルを備え、このハンドルは、方向性を有する形状で形成されている。
このように構成された本発明においては、伝達部の操作側接続部に接続される操作部のハンドルが、方向性を有する形状で形成されているため、ハンドルの初期位置の設定状態によっては、外観に大きな影響が生じやすい。
しかしながら、伝達部のスピンドル側接続部及び操作側接続部のそれぞれについて、互いにピッチが異なるスプラインが設けられているため、ハンドルの回転面内の角度を微調整することができる。
したがって、ハンドルや水栓装置全体の外観の意匠性を高めることができる。
【発明の効果】
【００１２】
本発明の水栓装置によれば、操作ハンドルの初期位置を微調整することができ、意匠性を向上させることができる。
【図面の簡単な説明】
【００１３】
【図１】本発明の第１実施形態による水栓装置の概略平面図である。
【図２】本発明の第１実施形態による水栓装置の正面断面図である。
【図３】本発明の第１実施形態による水栓装置の湯流量調整操作装置及び水流量調整操作装置の分解斜視図である。
【図４】図２に示す本発明の第１実施形態による水栓装置の湯流量調整操作装置及び水流量調整操作装置のそれぞれの部分について拡大した部分拡大正面断面図である。
【図５】本発明の第１実施形態による水栓装置の伝達軸部材の斜視図である。
【図６】本発明の第１実施形態による水栓装置の伝達軸部材の中央縦断面図である。
【図７】図５のＶＩＩ−ＶＩＩ線に沿った断面図である。
【図８】図５のＶＩＩＩ−ＶＩＩＩ線に沿った断面図である。
【図９】図１に示す本発明の第１実施形態による水栓装置の操作ハンドル部分を拡大した部分拡大図である。
【図１０】本発明の第２実施形態による水栓装置の伝達軸部材の斜視図である。
【発明を実施するための形態】
【００１４】
つぎに、図１〜図９を参照して、本発明の第１実施形態による水栓装置について説明する。
図１は、本発明の第１実施形態による水栓装置の概略平面図である。また、図２は、本発明の第１実施形態による水栓装置の正面断面図である。
まず、図１及び図２に示すように、本発明の第１実施形態による水栓装置１は、浴槽Ｂの周辺のデッキ面Ｃ上に設けられたスパウト２、湯流量調整操作装置４、及び、水流量調整操作装置６をそれぞれ備えている。スパウト２は、その先端部分に吐水口２ａを備え、湯、水、又は混合湯水を吐水可能な吐水部である。
つぎに、図２に示すように、水栓装置１は、デッキ面Ｃよりも下方にそれぞれ設けられた通湯管部材８、通水管部材１０、及び、分岐管部材１２を備えている。
なお、本実施形態の水栓装置１では、浴槽Ｂの周辺のデッキ面Ｃに設けられた形態について説明するが、洗面台やキッチンの流し台のデッキ面に設けられた形態であってもよい。
【００１５】
また、図２及び図３に示すように、通湯管部材８は、給湯器等の給湯源１４から供給される湯が通過する通湯路１６を形成する流路形成部である。そして、この通湯管部材８の一部には、湯流量調整操作装置４（詳細は後述する）が接続されており、この湯流量調整操作装置４により、通湯路１６を開閉操作して、通湯の流量調整が可能となっている。
同様に、図２及び図３に示すように、通水管部材１０は、水道等の給水源１８から供給される水が通過する通水路２０を形成する流路形成部である。そして、この通水管部材１０の一部には、水流量調整操作装置６が接続されており、この水流量調整操作装置６により、通水路２０を開閉操作して、通水の流量調整が可能となっている。
なお、湯流量調整操作装置４及び水流量調整操作装置６の詳細については後述するが、互いに同一の構造となっている。
【００１６】
さらに、図２に示すように、分岐管部材１２は、通湯管側、通水管側、及びスパウト側の三方向にそれぞれの管路を形成する流路形成部である。これにより、分岐管部材１２の通湯管側の管路は、その上流側の通湯路１６と連通しており、分岐管部材１２の通水管側の管路は、その上流側の通水路２０と連通している。また、分岐管部材１２のスパウト側の管路は、その下流側のスパウト２内の流路２ｂと連通している。
これらにより、通湯路１６及び通水路２０のそれぞれから分岐管部材１２のスパウト側の管路に流入した湯及び水は、その後、スパウト２内の流路２ｂを通過するようになっている。
最終的には、湯流量調整操作装置４及び水流量調整操作装置６の調整操作に応じて、吐水口２ａから湯、水、又は混合湯水が吐止水されるようになっている。
【００１７】
つぎに、図３〜図８を参照して、本実施形態の水栓装置１の湯流量調整操作装置４及び湯流量調整操作装置６の詳細について説明する。
まず、図３は、本発明の第１実施形態による水栓装置の湯流量調整操作装置及び水流量調整操作装置の分解斜視図である。つぎに、図４は、図２に示す本発明の第１実施形態による水栓装置の湯流量調整操作装置及び水流量調整操作装置のそれぞれの部分について拡大した部分拡大正面断面図である。
【００１８】
まず、図３及び図４に示すように、湯流量調整操作装置４及び水流量調整操作装置６は、下方側かつ内側から順に、バルブユニット２２、バルブケーシング２４、伝達軸部材２６、接続部材２８、固定台座３０、内側カバー部材３２、止めねじ３４、操作ハンドル３６、及び、Ｏリング３８，４０をそれぞれ備えている。
図３及び図４に示すように、各流量調整操作装置４，６のバルブユニット２２は、通湯路１６及び通水路２０のそれぞれを開閉する開閉弁（図示せず）を内部に備えている。また、バルブユニット２２は、開閉弁（図示せず）を操作可能にするスピンドル４２を上方に備えている。各バルブユニット２２の開閉弁（図示せず）の開閉具合に応じて、スパウト２の吐水口２ａからの吐止水又は吐水口２ａからの吐水量が制御されるようになっている。
【００１９】
つぎに、図３及び図４に示すように、各流量調整操作装置４，６のバルブケーシング２４は、通湯管部材８及び通水管部材１０のそれぞれの外側に設けられている。そして、各バルブケーシング２４は、概ね円筒形状に形成されて、その内部に各バルブユニット２２を収容して保持している。
また、図３及び図４に示すように、固定台座３０は、バルブケーシング２４の上端部をデッキ面Ｃに固定可能にする円環状の固定部材である。
【００２０】
つぎに、図３及び図４に示すように、各流量調整操作装置４，６の操作ハンドル３６は、各流量調整操作装置４，６の上下方向の中心軸線Ａ１，Ａ２の回りに回転操作することにより各バルブユニット２２の各開閉弁（図示せず）の開閉操作を可能にする操作部である。
また、図３及び図４に示すように、操作ハンドル３６は、外観が方向性を有するほぼ直方体形状からなり、平面視でほぼ正方形形状となっている。
【００２１】
また、図３及び図４に示すように、各流量調整操作装置４，６の伝達軸部材２６は、詳細については後述するが、操作ハンドル３６の操作力をバルブユニット２２の開閉弁（図示せず）に伝達する伝達部である。
さらに、図３及び図４に示すように、伝達軸部材２６の下端部は、バルブユニット２２のスピンドル４２に対して上方から噛み合い可能且つ着脱可能に接続されている。
一方、図３及び図４に示すように、伝達軸部材２６の上端部は、接続部材２８が上方から噛み合い可能且つ着脱可能に接続されている。
【００２２】
つぎに、図３及び図４に示すように、接続部材２８は、その上方が内側カバー部材３２及び操作ハンドル３６の双方に接続されて、止めねじ３４により固定されているため、操作部の一部である。また、接続部材２８の下方は、伝達軸部材２６の上端部が接続されるようになっている。
さらに、図３及び図４に示すように、接続部材２８は、ほぼ円筒状にそれぞれ形成された下側接続部２８ａ及び上側接続部２８ｂを備えている。
また、図４に示すように、接続部材２８の下側接続部２８ａは、伝達軸部材２６の上端部が下側から挿入可能となっている。
一方、図４に示すように、接続部材２８の上側接続部２８ｂは、内側カバー部材３２の中央に形成された取付穴３２ａに挿入可能となっている。これにより、接続部材２８の上側接続部２８ｂの外周側は、内側カバー部材３２の取付穴３２ａと接続されるようになっている。
また、図４に示すように、操作ハンドル３６の内部の天面中央には、接続部材２８の上側接続部２８ｂの内周側に上方から挿入可能な突起３６ａが形成されている。これにより、接続部材２８の上側接続部２８ｂの内周側は、操作ハンドル３６の突起３６ａと接続されるようになっている。
さらに、図４に示すように、止めねじ３４は、接続部材２８の下側接続部２８ａの下側から挿入可能に設けられている。この止めねじ３４によって、接続部材２８と操作ハンドル３６の突起３６ａとが互いに固定されるようになっている。
また、図４に示すように、内側カバー部材３２の外周側と操作ハンドル３６の内周側は互いに嵌合して固定されている。
【００２３】
つぎに、図４に示すように、Ｏリング３８は、接続部材２８の下側接続部２８ａの内周面と伝達軸部材２６の上端部の外周面との間に設けられている。これより、接続部材２８の下側接続部２８ａと伝達軸部材２６の上端部との接続のがたつきが抑制され、操作ハンドル３６の回転操作力が接続部材２８と伝達軸部材２６との間で確実に伝達されるようになっている。
同様に、図４に示すように、Ｏリング４０は、接続部材２８の上側接続部２８ｂの外周面と内側カバー部材３２の取付穴３２ａとの間に設けられている。これより、接続部材２８の上側接続部２８ｂと内側カバー部材３２の取付穴３２ａとの接続のがたつきが抑制され、操作ハンドル３６の回転操作力が接続部材２８と伝達軸部材２６との間で確実に伝達されるようになっている。
【００２４】
これらにより、図４に示すように、各操作ハンドル３６を中心軸線Ａ1，Ａ２回りに回転操作すると、接続部材２８及び内側カバー部材３２が、操作ハンドル３６と一体的に回転可能となっている。そして、この接続部材２８が中心軸線Ａ1，Ａ２回りに回転することにより、伝達軸部材２６並びにバルブユニット２２のスピンドル４２及び開閉弁（図示せず）についても、各中心軸線Ａ1，Ａ２回りに回転可能となっている。
そして、各バルブユニット２２の開閉弁（図示せず）は、各操作ハンドル３６の回転方向及び回転量に応じて、バルブケーシング２４内で上下方向に摺動し、通湯路１６及び通水路２０のそれぞれが開閉可能となっている。
【００２５】
つぎに、図３〜図８を参照して、本実施形態の水栓装置１の伝達軸部材２６の詳細について説明する。
図５は、本発明の第１実施形態による水栓装置の伝達軸部材の斜視図である。また、図６は、本発明の第１実施形態による水栓装置の伝達軸部材の中央縦断面図である。さらに、図７は、図５のＶＩＩ−ＶＩＩ線に沿った断面図であり、図８は、図５のＶＩＩＩ−ＶＩＩＩ線に沿った断面図である。
【００２６】
図４〜図８に示すように、伝達軸部材２６は、その一端側（下端側）に設けられたスピンドル側接続部４４と、他端側（上端側）に設けられた操作側接続部４６とを備えている。
また、図６及び図７に示すように、スピンドル側接続部４４の内周面には、バルブユニット２２のスピンドル４２の外周面の雄側スプライン４２ａと噛み合い可能な第１スプライン（雌側スプライン４４ａ）が形成されている。
さらに、図５、図６及び図８に示すように、操作側接続部４６の外周面には、接続部材２８の下側接続部２８ａの内周面の雌側スプライン２８ｃと噛み合い可能な第２スプライン（雄側スプライン４６ａ）が形成されている。
【００２７】
つぎに、図６及び図７に示すように、伝達軸部材２６のスピンドル側接続部４４の雌側スプライン４４ａは、中心軸線Ａ１，Ａ２を中心に全周に亘って第１所定ピッチ（ピッチ角α）で且つ歯数Ｚ１（例えば、α＝１８°、Ｚ１＝２０）に設定されている。
一方、図６及び図８に示すように、伝達軸部材２６の操作側接続部４６の雄側スプライン４６ａは、中心軸線Ａ１，Ａ２を中心に全周に亘って第１所定ピッチ（ピッチ角α）よりも大きい第２所定ピッチ（ピッチ角β（＞α））で、且つ、歯数Ｚ１よりも小さい歯数Ｚ２（＜Ｚ１）（例えば、β＝２０°、Ｚ２＝１８）に設定されている。
また、図６〜図８に示すように、伝達軸部材２６のスピンドル側接続部４４の雌側スプライン４４ａの最大内径Ｄ１は、伝達軸部材２６の操作側接続部４６の雄側スプライン４６ａの最大外径Ｄ２（＞Ｄ１）よりも小さくなるように設定されている。
【００２８】
つぎに、図５に示すように、伝達軸部材２６は、スピンドル側接続部４４と操作側接続部４６とを判別可能な判別手段を備えている。
この判別手段としては、具体的には、伝達軸部材２６のスピンドル側接続部４４の外周面に矢印４８が刻印されており、常時表示部として表示されている。
これにより、例えば、伝達軸部材２６の矢印４８の始端方向（図５に示す下側方向）が伝達軸部材２６のスピンドル側接続部４４側であり、かつ、伝達軸部材２６の矢印４８の終端方向（図５に示す上側方向）が伝達軸部材２６の操作側接続部４６側であることが、使用者が判別可能となっているようになっている。
なお、本実施形態では、判別手段の表示部として、伝達軸部材２６のスピンドル側接続部４４の外面に刻印された矢印４８を採用している。しかしながら、このような矢印４８の代わりに、模様やマーク等を表示するようにしてもよい。
【００２９】
加えて、伝達軸部材２６のスピンドル側接続部４４の外周面には、雄側スプラインが設けられていない。一方、伝達軸部材２６の操作側接続部４６の外周面には、雄側スプライン４６ａが設けられている。
これにより、伝達軸部材２６の各接続部４４，４６の各外周面における雄側スプラインの有無によっても、スピンドル側接続部４４と操作側接続部４６とを判別可能な判別手段として利用することができるようになっている。このような判別手段により、上述した表示部（刻印された矢印４８）を省略してもよい。
なお、本実施形態では、伝達軸部材２６のスピンドル側接続部４４の外周面に雄側スプラインが設けられておらず、操作側接続部４６の外周面に雄側スプライン４６ａが設けられた形態について説明するが、このような形態に限られない。
すなわち、他の変形例として、伝達軸部材２６のスピンドル側接続部４４の外周面に雄側スプラインが設けられ、操作側接続部４６の外周面に雄側スプラインが設けられていない形態であってもよい。このような変形例の場合、スピンドル側接続部４４に接続されるバルブユニット２２のスピンドル４２においては、伝達軸部材２６のスピンドル側接続部４４の雄側スプラインと噛み合い可能な雌側スプラインを設ければよい。同時に、操作側接続部４６の内周側に雌側スプラインを設け、これに接続される接続部材２８の下側接続部２８ａの外周面に雄側スプラインを設ければよい。
【００３０】
つぎに、図１〜図９を参照して、本発明の第１実施形態による水栓装置１の作用について説明する。
図９は、図１に示す本発明の第１実施形態による水栓装置の操作ハンドル部分を拡大した部分拡大図である。
まず、図９に示す設定前の初期位置Ｐ０の操作ハンドル３６において、前縁部のアウトラインＬ１と後縁部のアウトラインＬ２が、デッキ面ＣのタイルＴの左右方向に延びる横ラインＴ１と平行になっておらず、左右の側縁部のアウトラインＬ３，Ｌ４が、タイルＴの前後方向に延びる縦ラインＴ２と平行になっていない場合には、操作ハンドル３６の初期位置の微調整を行う。
この際、伝達軸部材２６のスピンドル側接続部４４の雌側スプライン４４ａについて、バルブユニット２２のスピンドル４２の雄側スプライン４２ａから取り外すことができる。
そして、伝達軸部材２６について、中心軸線Ａ１，Ａ２を中心とする回転平面内における初期位置の角度を変更した状態で、再び、スピンドル４２の雄側スプライン４２ａに取り付けることができる。
これにより、スピンドル４２の雄側スプライン４２ａと伝達軸部材２６のスピンドル側接続部４４の雌側スプライン４４ａとの互いの噛み合い位置が変更された状態となる。
このとき、図９に示すように、伝達軸部材２６のスピンドル側接続部４４の雌側スプライン４４ａのピッチ角αと、操作側接続部４６の雄側スプライン４６ａのピッチ角βとの差分δ（＝β−α）（例えば、δ＝２０°−１８°＝２°）によって、操作ハンドル３６の初期位置についても、設定前の初期位置Ｐ０から設定後の初期位置Ｐ１まで、差分δの範囲内で変更することができる。
また、図９に示すように、変更後（設定完了後）の初期位置Ｐ１の操作ハンドル３６においては、その前縁部のアウトラインＬ１と後縁部のアウトラインＬ２が、デッキ面ＣのタイルＴの左右方向に延びる横ラインＴ１と平行となる。
さらに、図９に示すように、変更後の初期位置Ｐ１の操作ハンドル３６においては、その両側縁のアウトラインＬ３，Ｌ４についても、デッキ面ＣのタイルＴの前後方向に延びる横ラインＴ２と平行となっており、スパウト２の平面視における前後方向の縦ラインＳ１とも平行となる。
【００３１】
上述した本発明の第１実施形態による水栓装置１によれば、スピンドル４２の雄側スプライン４２ａと伝達軸部材２６のスピンドル側接続部４４の雌側スプライン４４ａとの互いの噛み合い位置を容易に変更することができる。これにより、水栓装置１の外観に影響を与えることなく、操作ハンドル３６の初期位置を微調整することができる。
また、伝達軸部材２６のスピンドル側接続部４４の雌側スプライン４４ａのピッチ角αと、操作側接続部４６の雄側スプライン４６ａのピッチ角βとの差分δについて小さく設定する程、初期位置の操作ハンドル３６の回転面内の角度をより細やかに調整することができる。
これらにより、操作ハンドル３６とその周辺部（デッキ面ＣのタイルＴやスパウト２等）との互いの意匠性についても向上させることができる。
【００３２】
つぎに、本実施形態による水栓装置１によれば、例えば、伝達軸部材２６の操作側接続部４６の雄側スプライン４６ａを誤ってバルブユニット２２のスピンドル４２の雄側スプライン４２ａに接続しようとした場合、接続の誤りに気付くことができ、伝達軸部材２６の各接続部４４，４６の判別手段として機能することができる。
したがって、伝達軸部材２６の両端の接続部４４，４６がバルブユニット２２のスピンドル４２及び接続部材２８（操作ハンドル３６）のそれぞれに誤って接続されることを未然に防ぐことができる。これにより、伝達軸部材２６のスピンドル側接続部４４及び操作側接続部４６のそれぞれについて、対応するバルブユニット２２のスピンドル４２及び接続部材２８（操作ハンドル３６）のそれぞれに正しく接続することができる。
これに対し、仮に、本発明の判別手段がない場合には、伝達軸部材２６のスピンドル側接続部４４の雌側スプライン４４ａのピッチ角αと、操作側接続部４６の雄側スプライン４６ａのピッチ角βとの差分δについて小さく設定する程、伝達軸部材２６の両端の接続部４４，４６が誤って接続されてしまう可能性も高まることになる。これにより、伝達軸部材２６、バルブユニット２２のスピンドル４２、及び、接続部材２８（操作ハンドル３６）の各接続部において、破損や不具合等が生ずる要因となる。
一方、本実施形態による水栓装置１では、これらの要因を判別手段で解消することができ、伝達軸部材２６の各接続部４４，４６の各スプライン４４ａ，４６ａのピッチ角α，βが小さくても、正しい施工を行うことができる。
【００３３】
また、本実施形態による水栓装置１によれば、伝達軸部材２６の各接続部４４，４６の判別手段として、伝達軸部材２６の外面に表示された表示部（刻印された矢印４８）を採用している。これにより、伝達軸部材２６の各接続部４４，４６をバルブユニット２２のスピンドル４２及び接続部材２８（操作ハンドル３６）のそれぞれに接続する際に、表示部（刻印された矢印４８）を視認しながら行うことができる。
したがって、伝達軸部材２６のスピンドル側接続部４４及び操作側接続部４６のそれぞれについて、正確に判別することができ、対応するバルブユニット２２のスピンドル４２及び接続部材２８（操作ハンドル３６）のそれぞれに正しく接続することができる。
【００３４】
さらに、本実施形態による水栓装置１によれば、伝達軸部材２６の各接続部４４，４６の判別手段として、伝達軸部材２６のスピンドル側接続部４４の外周面には、スプラインが設けられていない。一方、伝達軸部材２６の操作側接続部４６の外周面には、雄側スプライン４６ａが設けられている。
これらにより、伝達軸部材２６の両端の接続部４４，４６を見た目で正確に判別することができる。
したがって、伝達軸部材２６のスピンドル側接続部４４及び操作側接続部４６のそれぞれについて、対応するバルブユニット２２のスピンドル４２及び接続部材２８（操作ハンドル３６）のそれぞれに正しく接続することができる。
【００３５】
つぎに、本実施形態による水栓装置１によれば、操作ハンドル３６が、方向性を有する形状で形成されているため、操作ハンドルの初期位置Ｐ０の設定状態によっては、外観に大きな影響が生じやすい。
しかしながら、伝達軸部材２６のスピンドル側接続部４４及び操作側接続部４６のそれぞれについて、互いにピッチ角α，βが異なるスプライン４４ａ，４６ａが設けられているため、操作ハンドル３６の中心軸線Ａ１，Ａ２を中心とする回転面内の角度を微調整することができる。
したがって、操作ハンドル３６や水栓装置１の全体の外観の意匠性を高めることができる。
【００３６】
つぎに、図１０を参照して、本発明の第２実施形態による水栓装置について説明する。
図１０は、本発明の第２実施形態による水栓装置の伝達軸部材の斜視図である。
図１０に示すように、本発明の第２実施形態による水栓装置１００においては、伝達軸部材１２６の構造が、上述した本発明の第１実施形態による水栓装置１の伝達軸部材２６の構造と異なっている。
すなわち、図１０に示すように、本実施形態による水栓装置１００の伝達軸部材１２６においては、その接続部１４４，１４６の判別手段として、スピンドル側接続部１４４及び操作側接続部１４６のそれぞれの外周面に第１スプライン（雄側スプライン１４４ａ）及び第２スプライン（雄側スプライン１４６ａ）が形成されている。
また、図１０に示すように、伝達軸部材１２６のスピンドル側接続部１４４の雄側スプライン１４４ａの最大外径Ｄ１０１は、操作側接続部１４６の雄側スプライン１４６ａの最大外径Ｄ１０２（＜Ｄ１０１）よりも大きくなるように設定されている。
ちなみに、本実施形態では、伝達軸部材１２６のスピンドル側接続部１４４に接続されるバルブユニット（図示せず）のスピンドル（図示せず）については、雄側スプライン１４４ａに噛み合い可能な雌側スプライン（図示せず）が設けられる。
【００３７】
上述した本発明の第２実施形態による水栓装置１００によれば、伝達軸部材１２６のスピンドル側接続部１４４及び操作側接続部１４６のそれぞれの外周面に雄側スプライン１４４ａ，１４６ａが設けられている。
しかしながら、伝達軸部材１２６の各接続部１４４，１４６の判別手段として、各雄側スプライン１４４ａ，１４６ａのそれぞれの最大外径寸法を互いに異なるように設定している。これにより、伝達軸部材１２６の両端の接続部１４４，１４６を見た目で正確に判別することができる。
したがって、伝達軸部材１２６のスピンドル側接続部１４４及び操作側接続部１４６のそれぞれについて、バルブユニット（図示せず）のスピンドル（図示せず）及び接続部材２８（操作ハンドル３６）のそれぞれに正しく接続することができる。
【符号の説明】
【００３８】
１        本発明の第１実施形態による水栓装置
２        スパウト（吐水部）
２ａ      吐水口
２ｂ      スパウト内の流路
４        湯流量調整操作装置
６        水流量調整操作装置
８        通湯管部材（流路形成部）
１０        通水管部材（流路形成部）
１２        分岐管部材（流路形成部）
１４        給湯源
１６        通湯路
１８        給水源
２０        通水路
２２        バルブユニット（開閉弁）
２４        バルブケーシング
２６        伝達軸部材（伝達部）
２８        接続部材（操作部）
２８ａ      下側接続部
２８ｂ      上側接続部
２８ｃ      雌側スプライン
３０        固定台座
３２        内側カバー部材
３２ａ      取付穴
３４        止めねじ
３６        操作ハンドル（操作部、ハンドル）
３６ａ      突起
３８        Ｏリング
４０        Ｏリング
４２        スピンドル（開閉弁のスピンドル部）
４２ａ      雄側スプライン
４４        スピンドル側接続部
４４ａ      雌側スプライン（第１スプライン）
４６        操作側接続部
４６ａ      雄側スプライン（第２スプライン）
４８        矢印（判別手段、表示部）
１００        本発明の第２実施形態による水栓装置
１２６        伝達軸部材（伝達部）
１４４        スピンドル側接続部
１４４ａ      雄側スプライン（第１スプライン）
１４６        操作側接続部（第２スプライン）
１４６ａ      雄側スプライン
Ａ１      湯流量調整操作装置の上下方向の中心軸線
Ａ２      水流量調整操作装置の上下方向の中心軸線
Ｂ        浴槽
Ｃ        デッキ面
Ｄ１      雌側スプラインの最大内径
Ｄ２      雄側スプラインの最大外径
Ｄ１０１  雄側スプラインの最大内径
Ｄ１０２  雄側スプラインの最大外径
Ｌ１      操作ハンドルの前縁部のアウトライン
Ｌ２      操作ハンドルの後縁部のアウトライン
Ｌ３      操作ハンドルの左側縁部のアウトライン
Ｌ４      操作ハンドルの右側縁部のアウトライン
Ｐ０      変更前の初期位置
Ｐ１      設定後の初期位置
Ｓ１      スパウトの縦ライン
Ｔ        タイル
Ｔ１      タイルの横ライン
Ｔ２      タイルの縦ライン
Ｚ１      歯数
Ｚ２      歯数
α        ピッチ角
β        ピッチ角
δ        ピッチ角の差分
【図１】
2018138749.tif 000003
【図２】
2018138749.tif 000004
【図３】
2018138749.tif 000005
【図４】
2018138749.tif 000006
【図５】
2018138749.tif 000007
【図６】
2018138749.tif 000008
【図７】
2018138749.tif 000009
【図８】
2018138749.tif 000010
【図９】
2018138749.tif 000011
【図１０】
2018138749.tif 000012